(57)【要約】【課題】  本願は、簡単且つ容易に装着可能であって、取り扱いが容易で且つコストの低減を図れるトレーニング器具を提供する。【解決手段】  本願のトレーニング器具１０は、足に装着される保持部材２０と、保持部材２０の地面側に配置される基体３０と、保持部材２０と基体３０を相対的に回転可能な回転部材４０と、を具備している。【選択図】      図１
2006311932.tif 000002
【特許請求の範囲】
【請求項１】
足に装着される保持部材と、
前記保持部材の地面側に配置される基体と、
前記保持部材と基体を相対的に回転可能な回転部材と、
を具備することを特徴とするトレーニング器具。
【請求項２】
前記保持部材は、
履物を載置するための足置き台であることを特徴とする請求項１に記載のトレーニング器具。
【請求項３】
前記保持部材は、
履物であることを特徴とする特徴とする請求項１に記載のトレーニング器具。
【請求項４】
前記保持部材の底部には、
前記回転部材及び基体の取り付け位置を変更する取付位置変更手段を備えていることを特徴とする請求項１乃至３に記載のトレーニング器具。
【請求項５】
前記回転部材及び基体は、足のつま先側に取り付けられることを特徴とする請求項１乃至３に記載のトレーニング器具。
【発明の詳細な説明】
【技術分野】
【０００１】
本願は、スイング運動又はツイスト運動を行うトレーニング器具に関するものである。
【背景技術】
【０００２】
従来、スライド運動やツイスト運動を行うことが可能なトレーニング装置が知られている。
【０００３】
このようなトレーニング装置は、例えば、左右方向に移動可能な基台と、前記基台上に回転可能に設けられた足置き台と、を備え、前記足置き台に足を載せた状態で左右に前記足置き台を左右に移動させるとその移動にともなって回転するものである。これにより、プレイヤは、足置き台に両足を乗せた状態で体のバランスを崩すことなくスライド運動とツイスト運動とを同時に実行可能となり、体幹部が効果的にトレーニングされる。
【０００４】
【特許文献１】特開２００４−１０５２２０号公報
【発明の開示】
【発明が解決しようとする課題】
【０００５】
上記に示すように従来のトレーニング装置は大型で、普段、自宅でトレーニングを行う場合にあっては、前記トレーニング装置の置き場に困る。
【０００６】
また、このようなトレーニング装置は、種々のトレーニングを行うことができるものの、その取り扱いが複雑であって、容易に使用しにくいものである。
【０００７】
さらに、トレーニング装置は、製造コストが高く、販売品を安価で提供しにくい。
【０００８】
本願が解決しようとする課題には、上記した問題が一例として挙げられる。
【０００９】
そこで、本願は、簡単且つ容易に使用可能であって、取り扱いが容易で且つコストの低減を図れるトレーニング器具を提供することを目的の一例とする。
【課題を解決するための手段】
【００１０】
以下、本願について説明する。なお、本願の理解を容易にするために添付図面の参照符号を括弧書きにて付記するが、それにより本願が図示の形態に限定されるものではない。
【００１１】
請求項１に記載のトレーニング器具（１０）は、足に装着される保持部材（２０）と、前記保持部材の地面側に配置される基体（３０）と、前記保持部材と基体を相対的に回転可能な回転部材（４０）と、を具備することを特徴とする。
【００１２】
また、請求項２に記載のトレーニング器具は、請求項１に記載のトレーニング器具において、前記保持部材は、履物（５０）を載置するための足置き台であることを特徴とする。
【００１３】
また、請求項３に記載のトレーニング器具は、請求項１に記載のトレーニング器具において、前記保持部材は、履物であることを特徴とする特徴とする。
【００１４】
また、請求項４に記載のトレーニング器具は、請求項１乃至３に記載のトレーニング器具において、前記保持部材の底部には、前記回転部材及び基体の取り付け位置を変更する取付位置変更手段を備えていることを特徴とする。
【００１５】
また、請求項５に記載のトレーニング器具は、請求項１乃至３に記載のトレーニング器具において、前記回転部材及び基体は、足のつま先側に取り付けられることを特徴とする。
【発明を実施するための最良の形態】
【００１６】
以下、図１乃至図３を参照して、本願のトレーニング器具の実施形態について説明する。図１はトレーニング器具の構成を示す分解図、図２はトレーニング器具の構造図、図３はトレーニング器具の使用例を示す図、図４はトレーニング器具の他の使用例を示す図、図５は回転部材の他の取付例を示す図、図６は回転部材の他の実施例を示す図である。なお、以下の説明では図２の上下方向を便宜的にトレーニング器具の上下として、図上正面背面方向をトレーニング器具の左右方向として、図上左右方向をトレーニング器具の前方又は後方として表現する。また、以下に説明する履物５０としては、例えば、運動靴（シューズ）やサンダルなどが挙げられる。
【００１７】
図１、及び図２に示すように、本願のトレーニング器具１０は、保持部材２０と、基体３０と、回転部材４０と、を備えて構成されて、前記保持部材２０の底部に回転部材４０、基体３０の順に、例えば、ネジなどの固定具４８によって取り付けられており、回転部材４０によって、保持部材２０と基体３０が相対的に回転可能になっている。
【００１８】
図１及び図２において、トレーニング器具１０を使用する場合、保持部材２０には、プレイヤの足に装着される履物５０が固定される。そして、本願のトレーニング器具１０は、プレイヤが下半身部分を回転させることにより、前記保持部材２０が基体３０に対して相対的に回転する。このように本願のトレーニング器具１０は上記のように動作するので、プレイヤのウエスト・ヒップ・太股、ふくらはぎなどを効果的にトレーニングすることが可能となっている。
【００１９】
続いて、本願のトレーニング器具の基本構造について図１及び図２を用いて詳述する。
【００２０】
図示のように、トレーニング器具１０は、プレイヤの足に装着される保持部材２０と、前記保持部材２０の地面側に配置される基体３０と、前記保持部材２０と基体３０を相対的に回転可能な回転部材４０と、を備えている。また、前記保持部材２０には、プレイヤの足に装着される履物５０が装着される。このように、保持部材２０は、プレイヤの足に装着される履物５０を載置するための足置き台として機能する。
【００２１】
また、保持部材２０は、金属製又は成形容易な樹脂製で形成されており、履物５０の底部の形状をした底体２１と、前記底体２１の外周から略上方垂直方向に形成された側体２２と、を備えているとともに、前記側体２２には、底体２１上に載置される履物５０を固定するためのバンド２３、２４を備えている。
【００２２】
側体２２は、履物５０の前方、後方、左右方向への移動を抑止して前記履物５０を底体２１上に保持する。また、バンド２３は、履物５０のつま先側を固定し、バンド２４は、履物５０のかかと側を固定するものである。バンド２３は、保持部材の前方左右の側体に取り付けられる一対のバンド体からなる。前記バンド体の先端近傍にはマジックバンド２３ａが取り付けられており、このマジックバンド２３ａにより一対のバンド体は接続される。このようにして履物５０は、保持部材２０から脱落しないように載置されるとともに、前記保持部材２０にしっかりと固定される。
【００２３】
なお、前記保持部材２０は、予め履物５０の底部に一体的に装着されるものであっても構わない。この場合には、履物５０の底部に回転部材４０を取り付けるための固定具（図示しない）を取り付けるようにすればよい。このようにすれば、保持部材２０を履物５０の形状に加工する必要がなくなるとともにバンド２３、２４も必要ないためトレーニング器具１０を製造する上でのコストの低減を図ることが可能である。
【００２４】
また、保持部材２０の底部前方（足のつま先側）には、回転部材４０が取り付けられている。回転部材４０は、回転体４１と、前記回転体４１が地面に対して水平方向に回転可能に支持するフランジ状に形成された一対の支持体４２と、を備えている。前記支持体４２は、環状に形成された溝部４３と、前記溝部４３に隙間なく密着して配置される複数のベアリング４４と、を備えて構成される。回転体４１は、このベアリング４４に密着するように配置されており、前記ベアリング４４によって、回転体４１は、地面に対して水平方向にスムースに回転する。
【００２５】
また、回転部材４０の地面側には、基体３０が取り付けられている。基体３０は、例えば、ゴムなどの弾性部材によって略円形状に形成されているとともに、底部が波板状に形成されている。基体３０に弾性部材を使用することにより、使用時において、基体３０は、プレイヤの自重により地面側に押圧され、地面との摩擦係数が上がるので、前記基体３０は地面に対して滑りにくくなる。
【００２６】
本願のトレーニング器具１０は、上記に示すように、簡易な構造で構成されているため、従来のトレーニング装置と比較して、トレーニング器具１０を製造するためのコストを低減できる。また、プレイヤに対して、前記プレイヤが容易且つ効果的に下半身のトレーニングをすることが可能なトレーニング器具を提供することができる。また、本願のトレーニング器具１０は、特に下半身のエクササイズを目的とするプレイヤに効果的である。
【００２７】
次いで、トレーニング器具の動作について説明する。
【００２８】
プレイヤが下半身を回転運動することによって、保持部材２０が回転する。この時、回転体４１はベアリング４４と摺動し、基体３０は、プレイヤの自重によって地面側にしっかりと固定される。すなわち、トレーニング器具１０は、保持部材２０及び前記保持部材２０の底部に取り付けられている回転部材４０の一方の支持体４２のみが回転するようになっており、プレイヤの足の回転量に対応して、保持部材２０が回転するようになっている。
【００２９】
次いで、トレーニング器具の使用例について図３、及び図４を用いて説明する。
【００３０】
図３に示すように、プレイヤＰは、スタンスを肩幅程度に広げた状態（図３（ａ）参照）から下半身を右回転(図３（ｂ）参照）、又は左回転（図３（ｃ）参照）することにより、履物５０（保持部材２０を含む。）がその回転量に対応して回転する。この動作を左右交互に行うことにより、プレイヤＰは下半身の太股、ふくらはぎなどを効果的にトレーニングすることが可能となる。
【００３１】
また、図４に示すように、プレイヤＰは、スタンスを上記よりもさらに広げた状態（図４（ａ）参照）から下半身を右回転（図４（ｂ）参照）、又は左回転（図４（ｃ）参照）することにより、上記同様に、履物５０（保持部材２０を含む。）がその回転量に対応して回転する。この動作を左右交互に行うことにより、プレイヤＰは、下半身の太股、ふくらはぎは勿論のこと、ウエスト・ヒップまでも効果的にトレーニングすることが可能となる。
【００３２】
以上のように、本願のトレーニング器具１０は、足に装着される保持部材２０と、前記保持部材２０の地面側に配置される基体３０と、前記保持部材２０と基体３０を相対的に回転可能な回転部材４０と、を具備している。このトレーニング器具１０において、保持部材２０は、履物５０を載置するための足置き台として機能する。また、この保持部材２０は、履物５０と一体的に構成されていても構わない。
【００３３】
また、後述するように保持部材２０の底部には、前記回転部材４０及び基体３０の取り付け位置を変更する取付位置変更手段（例えば、スライドレールなど）を備えていても構わない。
【００３４】
また、本願のトレーニング器具１０において、回転部材４０及び基体３０は、足のつま先側に取り付けられることが好ましい。
【００３５】
本願のトレーニング器具１０は上記のように構成されているので、プレイヤは、特に、エクササイズを目的として、下半身のトレーニングを効果的に行うことができる。また、上記に示すように、トレーニング器具は、簡易な構造で構成されているため、従来のトレーニング装置と比較して、製造するためのコストを低減できるとともに使い勝手が良く、容易に使用することが可能である。
【００３６】
本願は以上の実施形態に限定されることなく、種々の形態にて実施してよい。例えば、回転部材４０及び基体３０の取り付け位置を変更可能にしても構わない。この場合には、例えば、保持部材２０の底部の前方から後方にかけて一対のスライドレール（図示なし）を設けて、スライドレールの範囲内において回転部材４０の取り付け位置（前方、中央、後方）が変更できるようにすればよい。なお、本実施形態のスライドレールは、本願の取付位置変更手段として機能する。
【００３７】
また、予め保持部材２０の底部に、前方、中央、後方の所定の位置に回転部材４０を脱着可能な脱着手段（図示なし）を備えるようにして、適宜、トレーニングに応じて、回転部材４０の取り付け位置を変更できるようにしても構わない。このようにすれば、回転部材４０の取り付け位置を前方にするほど、保持部材２０に加える回転力が必要となり、逆に中央にするほど、回転力が小さく済むようになる。すなわち、回転部材４０を前方にするほどトレーニングの負荷が大きくなり、中央近傍にするほどトレーニングの負荷が小さくなる。したがって、回転部材４０を中央にするほど、プレイヤは回転しやすくなり、前方にするほど回転しにくくなり、簡易な構造で個人に適応したトレーニングを行うことができる。
【００３８】
また、図５に示すように、回転部材４０は複数設けられていてもよい。その場合、例えば、複数の回転部材４０を保持部材２０と円形状の基体３０との間に取り付け、その回転部材４０が、基体３０の中心軸Ｃに対して直交する方向の断面において、前記回転部材４０の軸線と基体３０の中心軸Ｃとを結ぶ線ｌによって形成される基体３０の中心軸回りの角度αがすべて同一になるように配置すると良い。このようにすれば、トレーニング器具１０の姿勢が安定するのでプレイヤは安心してトレーニング器具を使用することができる。また、保持部材２０を回転する回転力を低減できるため、プレイヤはトレーニングがやり易くなり効果的に回転運動を行うことが可能となる。
【００３９】
また、回転部材４０は、保持部材２０と基体３０が相対的に回転できるようなものであればどのような構造のものであっても構わない。例えば、図６に示すように、回転部材４０ａが、円環状の筒体５１ａを有するフランジ状の支持体５１と、前記支持体５１の内周面に挿入される円柱状の筒体５２ａを有するフランジ状の回転体５２と、を備えて構成されており、前記支持体５１の内周面には溝５３が形成されているとともに、前記溝５３には複数のベアリング５４が密着して装着されて構成され、前記回転体５２の筒体５２ａが前記ベアリング５４によって回転し、前記回転体５２が回転するような構造であっても構わない。
【図面の簡単な説明】
【００４０】
【図１】トレーニング器具の構成を示す分解図である。
【図２】トレーニング器具の構造図である。
【図３】トレーニング器具の使用例を示す図である。
【図４】トレーニング器具の他の使用例を示す図である。
【図５】回転部材の他の取付例を示す図である。
【図６】回転部材の他の実施例を示す図。
【符号の説明】
【００４１】
１０  トレーニング器具
２０  保持部材
３０  基体
４０  回転部材
５０  履物
【図１】
2006311932.tif 000003
【図２】
2006311932.tif 000004
【図３】
2006311932.tif 000005
【図４】
2006311932.tif 000006
【図５】
2006311932.tif 000007
【図６】
2006311932.tif 000008